【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
撮像対象の被写体の動画像を撮像する動画像撮像装置であって、
２次元状に配置された撮像素子を備え、該撮像素子を配置した撮像領域における少なくとも一部の領域に対して、撮像した画像データを読み出し可能な撮像手段と、
前記撮像手段にて被写体を撮像する際の撮像周期を、異なる撮像周期に変更して設定可能な撮像周期設定手段と、
前記撮像周期設定手段により設定される撮像周期に基づいて、該撮像周期と同等の周期で前記撮像手段の撮像領域から画像データの読み出しが可能な範囲を読出領域として、該読出領域の大きさ及び／又は位置を決定するための読出領域決定手段と、
前記撮像手段で撮像された一連の画像データを、該画像データを撮像した撮像周期よりも遅い表示周期で動画像として表示可能な表示手段と、
前記表示手段上において前記撮像手段で撮像された画像データを表示させた状態から、該画像データを撮像した撮像周期から前記撮像周期設定手段で撮像周期が変更されたことを検出して、前記読出領域決定手段で決定される該変更後の撮像周期に対応した読出領域の大きさ及び／又は位置に応じて、変更後の撮像周期で撮像された一連の画像データを該変更後の読出領域から読み出して、所定の表示周期で前記表示手段に表示させるよう、前記表示手段の画像表示を更新するための表示更新手段と、
前記表示手段で表示中の画像データを撮像した撮像周期よりも速い撮像周期に対応した、前記読出領域決定手段で決定される読出領域の大きさ及び／又は位置を示す領域表示を、前記表示手段において重ねて表示可能な領域表示手段と、
を備えることを特徴とする動画像撮像装置。
【請求項２】
請求項１に記載の動画像撮像装置において、
前記領域表示手段が、複数の撮像周期に対応した複数の読出領域を、複数の領域表示として前記表示手段において重ねて表示可能としたことを特徴とする動画像撮像装置。
【請求項３】
撮像対象の被写体を撮像する動画像撮像装置であって、
２次元状に配置された撮像素子を備え、該撮像素子を配置した撮像領域における少なくとも一部の領域に対して、撮像した画像データを読み出し可能な撮像手段と、
前記撮像手段にて被写体を撮像する際の撮像周期を、異なる撮像周期に変更して設定可能な撮像周期設定手段と、
前記撮像周期設定手段により設定される撮像周期に基づいて、該撮像周期と同等の周期で前記撮像手段の撮像領域から画像データの読み出しが可能な範囲を読出領域として、該読出領域の大きさ及び／又は位置を決定するための読出領域決定手段と、
前記撮像手段で撮像された画像データを、該画像データを撮像した撮像周期よりも遅い表示周期で表示可能な表示手段と、
前記表示手段に表示された、第１の撮像周期で撮像された第１の画像データにおける、該第１の撮像周期に基づいて前記読出領域決定手段で決定された第１の読出領域の大きさ及び／又は位置を記憶するための第１読出領域記憶手段と、
前記撮像周期設定手段により前記第１の撮像周期と異なる第２の撮像周期に設定された際に、該第２の撮像周期に基づいて前記読出領域決定手段で決定された第２の読出領域の大きさ及び／又は位置を認識するための第２読出領域認識手段と、
前記第１読出領域記憶手段に記憶された前記第１の読出領域と、前記第２読出領域認識手段により認識された前記第２の読出領域との相対的な大きさ及び／又は位置を求めるための読出領域決定手段と、
前記画像データを表示する前記表示手段に対して、前記読出領域決定手段により求められた相対的な大きさ及び／又は位置に基づいて、前記第２の読出領域を示す領域表示を、前記第１の画像データ上に重畳表示可能な領域表示手段と、
を備えることを特徴とする動画像撮像装置。
【請求項４】
請求項１から３のいずれか一に記載の動画像撮像装置において、さらに、
前記領域表示手段で表示される読出領域の位置を指定するための領域位置指定手段を備えることを特徴とする動画像撮像装置。
【請求項５】
請求項１から４のいずれか一に記載の動画像撮像装置において、さらに、
撮像周期に対応する読出領域に関する情報を、設定可能な撮像周期毎に記録した対応テーブルを記憶する対応関係記憶手段を備えており、
前記読出領域決定手段が、前記対応関係記憶手段に記憶された対応テーブルに従い、読出領域を決定することを特徴とする動画像撮像装置。
【請求項６】
請求項１から４のいずれか一に記載の動画像撮像装置において、
前記読出領域決定手段は、前記撮像周期設定手段により設定される撮像周期に基づいて、読出領域を演算して求めることを特徴とする動画像撮像装置。
【請求項７】
請求項１から６のいずれか一に記載の動画像撮像装置において、さらに、
前記領域表示手段で画像データ上に重ねて表示される領域表示の大きさ及び／又は位置を、該画像データ上で調整するための領域表示調整手段を備えることを特徴とする動画像撮像装置。
【請求項８】
請求項１又は２に記載の動画像撮像装置において、
前記領域表示手段が、前記撮像周期設定手段で撮像周期が変更されたことを検出して、該変更後の撮像周期に対応した読出領域を示す領域表示を、前記表示手段において撮像周期変更前の画像データに重ねて表示させた後、前記表示手段の画像表示を更新するよう構成してなることを特徴とする動画像撮像装置。
【請求項９】
請求項８に記載の動画像撮像装置において、
前記表示手段における画像表示の更新が、撮像周期を変更したタイミングから所定時間経過後に行われることを特徴とする動画像撮像装置。
【請求項１０】
請求項８に記載の動画像撮像装置において、
前記表示手段における画像表示の更新が、撮像周期の変更の実行を指示するための変更指示手段を操作することで行われることを特徴とする動画像撮像装置。
【請求項１１】
請求項１から１０のいずれか一に記載の動画像撮像装置において、
前記領域表示手段が、領域表示に加えて、該領域表示が示す撮像周期を表示可能に構成してなることを特徴とする動画像撮像装置。
【請求項１２】
請求項１から１１のいずれか一に記載の動画像撮像装置において、
前記領域表示手段が、領域表示を枠状に表示可能としたことを特徴とする動画像撮像装置。
【請求項１３】
請求項１から１１のいずれか一に記載の動画像撮像装置において、
前記領域表示手段が、領域表示を前記表示手段上の位置で表示可能としたことを特徴とする動画像撮像装置。
【請求項１４】
撮像対象の被写体の画像データを一定の撮像周期で、撮像素子を２次元状に配置した撮像領域における少なくとも一部の領域に対して撮像した画像データを読み出し可能な撮像手段にて撮像した後、これを該撮像周期よりも遅い表示周期で表示手段に表示する動画像表示方法であって、
撮像周期に基づいて、予め前記撮像手段の撮像領域から画像データの読み出しが可能な範囲を読出領域として、該読出領域の大きさ及び／又は位置を決定するステップと、
前記撮像手段で撮像された画像データを表示可能な表示手段において、表示中の画像データを撮像した撮像周期と異なる撮像周期に対応する、前記決定された読出領域の大きさ及び／又は位置を示す領域表示を画像データに重ねて表示するステップと、
前記表示手段上において表示される画像データを撮像した撮像周期と異なる撮像周期に変更されたことを検出して、該変更後の撮像周期に対応した読出領域の大きさ及び／又は位置に応じて、変更後の撮像周期で撮像された一連の画像データを該変更後の読出領域から読み出して、所定の表示周期で前記表示手段に表示させるよう、前記表示手段の画像表示を更新するステップと、
を含むことを特徴とする動画像表示方法。